(57)【要約】本発明は使い捨てコーヒー豆抽出機に関し、カップのような飲料容器に結合され、一側に開口部が形成された支持板材と、前記支持板材で下向きに突出され、上端が開放され、下部にコーヒー豆粉末が収容されるコーヒー収容部が段差を有して形成され、前記コーヒー収容部の下端には濾過紙が付着された抽出口が形成される収容筒体と、前記コーヒー収容部の上端と前記抽出口の底面にそれぞれ付着されて、前記コーヒー収容部を密閉させ、それぞれ脱去用取っ手が形成される上部密閉カバー及び下部密閉カバーとを含み、前記上部密閉カバーの脱去用取っ手は前記支持板材の上側まで延長され、前記下部密閉カバーの脱去用取っ手は下部密閉カバーの両側面の中前記開口部から遠い一側面に形成されて、前記開口部を通じて前記支持板材の上側まで延長されることをその特徴とする。本発明によれば、オリジナルコーヒーに対する密閉性を確保してコーヒーの味と香りを維持しながら長期間保管できるとともに、使用の時には密閉手段を簡単に取り外して直ちにお湯のみを入れてコーヒーを飲むことができて、使用が非常に簡単な效果を奏する。また、本発明によれば、飲料カップに弾性的に嵌めて簡単に固定させることができるとともに、複数を上下に積層して結合させることができて使用及び保管が非常に便利な長所がある。
2012515043.tif 000002
【特許請求の範囲】
【請求項１】
飲料容器（４００）に結合され、一側に開口部（１１１）が形成された支持板材（１１０）と；
前記支持板材（１１０）で下向きに突出され、上端が開放され、下部にコーヒー豆粉末（Ｃ）が収容されるコーヒー収容部（１２１）が段差を有して形成され、前記コーヒー収容部（１２１）の下端には濾過紙（１３０）が付着されたコーヒー抽出部（１２２）が形成される収容筒体（１２０）と；
前記コーヒー収容部（１２１）の上端と前記コーヒー抽出部（１２２）の底面にそれぞれ付着されて、前記コーヒー収容部（１２１）を密閉させ、それぞれ脱去用取っ手（１４１、１５１）が形成される上部カバー（１４０）及び下部カバー（１５０）と；を含み、
前記上部カバー（１４０）の脱去用取っ手（１４１）は前記支持板材（１１０）の上側まで延長され、下部カバー（１５０）の脱去用取っ手（１５１）は下部カバー（１５０）の両側面の中前記開口部（１１１）から遠い一側面に形成されて、前記開口部（１１１）を通じて前記支持板材（１１０）の上側まで延長されることを特徴とする使い捨てコーヒー豆抽出機（１００）。
【請求項２】
前記上部カバー（１４０）と下部カバー（１５０）のそれぞれの脱去用取っ手（１４１、１５１）の端部が互いに付着されて一体化されることを特徴とする請求項１に記載の使い捨てコーヒー豆抽出機（１００）。
【請求項３】
上端が開放され、開放された上端から所定距離下方の位置にはコーヒー豆粉末（Ｃ）が収容されるコーヒー収容部（２２０）が段差を有して形成され、前記コーヒー収容部（２２０）の下端には底面に複数の抽出口（２３２）を有するコーヒー抽出部（２３０）が段差を有して形成される容器本体（２１０）と；
前記コーヒー抽出部（２３０）の抽出口（２３２）の上面に固定される濾過紙（２４０）と；
前記コーヒー収容部（２２０）の上部突部（２２１）に付着されて、前記コーヒー収容部（２２０）の上部を密閉させ、一側に脱去用取っ手（２５１）が延長形成された上部カバー（２５０）と；
前記濾過紙（２４０）と所定間隔離間されるように前記コーヒー抽出部（２３０）の上部突部（２３１）に付着されて、前記コーヒー収容部（２２０）の下部を密閉させ、一側に脱去用取っ手（２６１）が延長して形成される下部カバー（２６０）と；を含むことを特徴とする使い捨てコーヒー豆抽出機（２００）。
【請求項４】
前記容器本体（２１０）の上端外周面には下向き折曲された形態を有するとともに、その内側面に係止突起（２１２）が突出して形成されて、飲料容器（４００）の上端に弾性的に嵌められる弾性固定具（２１１）がさらに形成されることを特徴とする請求項３に記載の使い捨てコーヒー豆抽出機（２００）。
【請求項５】
前記弾性固定具（２１１）の一側には空気流通のための切開部（２１３）が形成されることを特徴とする請求項４に記載の使い捨てコーヒー豆抽出機（２００）。
【請求項６】
前記容器本体（２１０）には、その上端面に沿って、所定の長さに上向き延長された容器延長部（２１４）がさらに形成されることを特徴とする請求項３に記載の使い捨てコーヒー豆抽出機（２００）。
【請求項７】
上部が開放され、下端部に濾過紙（３１２）が付着されたコーヒー抽出部（３１１）が形成された容器本体（３１０）の内部にコーヒー豆粉末が収容保管されるように構成されて、温水を投入することによって、飲料容器（４００）にコーヒーを抽出させる使い捨てコーヒー豆抽出機（３００）において、
前記容器本体（３１０）には、その上端部の周縁で下向き折曲されて容器本体（３１０）の外周面との間に前記飲料容器（４００）の上端部が挿入されることができる挿入空間部（３２１）を形成させるとともに、内側面には係止突起（３２２）が突出して形成された挿入固定部（３２０）が設けられることを特徴とする使い捨てコーヒー豆抽出機（３００）。
【請求項８】
前記使い捨てコーヒー豆抽出機（３００）は、前記容器本体（３１０）の上端部から上向きに所定の長さ延長され、上部が開放される容器延長部（３３０）と；
前記容器本体（３１０）の外周面に放射状に所定間隔に突出して形成され、前記容器延長部（３３０）の内周面に嵌められることができる複数の挿入突起（３４０）；をさらに含み、
下側の使い捨てコーヒー豆抽出機（３００ｂ）の前記容器延長部（３３０）の内周面に上側の使い捨てコーヒー豆抽出機（３００ａ）の前記挿入突起（３４０）が挿入されることによって、少なくとも二つ以上の使い捨てコーヒー豆抽出機が上下に積層結合されることができることを特徴とする請求項７に記載の使い捨てコーヒー豆抽出機（３００）。
【請求項９】
前記挿入突起（３４０）の下側面には傾斜面（３４１）が形成され、前記容器延長部（３３０）はその上側部分に湾曲部（３３１）が形成されることを特徴とする請求項８に記載の使い捨てコーヒー豆抽出機（３００）。
【請求項１０】
前記容器延長部（３３０）は前記飲料容器（４００）の容器蓋（５００）に挿入されることができるように、前記容器蓋（５００）の大きさに対応する直径を有することを特徴とする請求項８に記載の使い捨てコーヒー豆抽出機（３００）。
【請求項１１】
前記容器延長部（３３０）の内周面には温水投入量の調節のための水指示線（３３２）が表示されることを特徴とする請求項８に記載の使い捨てコーヒー豆抽出機（３００）。
【発明の詳細な説明】
【技術分野】
【０００１】
本発明は使い捨てコーヒー豆抽出機に関し、より詳しくは、コーヒー豆を密閉状態に保管することができるとともに、使用過程が非常に簡単で、コーヒー豆が変質される虞がなく長期間保管することができ、飲料カップに弾性的に嵌めて簡単に固定させることができ、同時に、複数を上下に積層して結合させることができて、保管性及び使用上の便利性を向上させることによって、場所と時間にかかわらず誰でも簡単にコーヒーを楽しむことができる使い捨てコーヒー豆抽出機に関する。
【背景技術】
【０００２】
一般に、コーヒーは自然産コーヒー豆を乾燥した後、焙煎して保管し、飲用の時、これをミキサーにかけてお湯を入れて濾過して作るオリジナルコーヒーと、コーヒー豆を焙煎した後、原液を抽出して濃縮させて真空乾燥または冷凍乾燥した後生成された粉末または顆粒タイプのコーヒーにお湯を入れて直ちに飲むことができるようにしたインスタントコーヒーに分けることができる。
【０００３】
一般的な観点で比較した時、オリジナルコーヒーは味と香りが優れており、風味と高級性の面でインスタントコーヒーより優れているので、大部分の人がインスタントコーヒーよりはオリジナルコーヒーをより好んでいるが、現実的に飲用されるコーヒーの量を比べと約８対２の割合でインスタントコーヒーがより多く愛用されている実情である。
【０００４】
このように、オリジナルコーヒーをより好んでいるにもかかわらず、インスタントコーヒーをよりたくさん飲むのは、オリジナルコーヒーが煩しいからである。即ち、原豆を焙煎して、粉碎して篩にかける過程は、お湯を入れて直ちに飲用することができるインスタントコーヒーに比べてたくさんの時間を要し、原豆を粉碎して篩にかける過程にはコーヒーメートのような別途の道具を必要とし、その道具がない場合や室内ではない室外でオリジナルコーヒーを楽しむことは決して簡単ではないという問題点がある。
【０００５】
このようなオリジナルコーヒーの問題点を認識して、従来にもより簡単にオリジナルコーヒーが飲めることができる使い捨てコーヒー豆抽出容器に対する技術が開示された。
【０００６】
上述した従来技術の一例として、韓国登録実用新案第２０−０２６７３６６号にインスタントオリジナルコーヒー飲用セットが開示されており、前記飲用セットは、粉末コーヒーを包装したオリジナルコーヒーと、濾過紙を収納してコーヒー液を抽出する抽出容器と、前記抽出容器を飲用カップに固定するための抽出リングを複数ずつ備えることをその特徴としている。
【０００７】
しかし、前記オリジナルコーヒー飲用セットは、オリジナルコーヒーを飲用するために濾過紙を抽出容器に収納し、抽出容器を抽出リングに締結した後、包装されたオリジナルコーヒーを取り出して抽出容器に投入する諸過程を行わなければならないため、その使用が煩雑であるという問題点がある。
【０００８】
また、韓国登録特許第１０−０３７１５５８号に使い捨てコーヒー豆抽出容器が開示されているが、前記使い捨てコーヒー豆抽出容器は、注がれる水を受け入れるホッパーと、前記ホッパーの下部に所定の長さに延長されて、飲む人の数に合わせて計量されて包装されたティーバッグが収容されるとともに、ドリップ作用のための貫通部と、前記貫通部の下部にはコーヒーカップ上に着脱式に覆蓋される搭載部とを含む。
【０００９】
このような使い捨てコーヒー豆抽出容器は、使用上の煩雑さは解消したが、オリジナルコーヒーが密閉されないまま単純にティーバッグに収容される構成であって、空気に露出されて長期間保管することが難しく、味と香りが変質される虞があるという問題点が存在する。
【００１０】
即ち、オリジナルコーヒーは、保管中に、酸素、湿度、熱によって、その味と香りが影響を受けることになり、この中、特に空気中の酸素に漏出されて酸化されることが最大の要因で、湿度が高いほど酸化される程度はよりひどくなり、オリジナルコーヒーの酸化がひどくなるほどコーヒーの香りは減り、味は変質されて不味いコーヒーになりやすい。
【００１１】
従って、使い捨てや携帯用として、オリジナルコーヒーを飲めることができるようにするコーヒー豆抽出容器は、何よりも使用が簡単でありながらもコーヒーに対する密閉性を確保して長期間保管しても味と香りが変質されないようにすることが最も重要であると言える。前記示した技術を含んで、従来のコーヒー豆抽出容器は、大部分使用上の簡便性及びコーヒーに対する密閉性という二つの要素をすべて確保できないまま何れか一つの問題のみを改善しようとしたことに問題がある。
【００１２】
また、従来の使い捨てコーヒー豆抽出容器は、大部分飲料カップの上端に固定されて保管または使わなければならない。従来の使い捨てコーヒー豆抽出容器は、容器本体の上端部を飲料カップの上端部より広く形成して、容器本体が単純に飲料カップの上端部に置かれた状態で保管して使用したり、または容器本体の上端部を飲料カップの上端部より狭く形成して容器本体を飲料カップの上端部の内周面に嵌め込んだ状態で保管または使われている。
【００１３】
従って、飲料カップの上端部に置かれる構成の場合には、使い捨てコーヒー豆抽出容器が飲料カップに安定的に固定されることができなくて、飲料カップとともに保管することが難しく、使用も不便である問題点があり、飲料カップの内周面に嵌める構成の場合には、コーヒー豆を抽出した後飲用のために飲料カップから使い捨てコーヒー豆抽出容器を取り出すことが難しくて、やはり使用が不便である問題点がある。
【先行技術文献】
【特許文献】
【００１４】
【特許文献１】韓国登録実用新案第２０−０２６７３６６号
【特許文献２】韓国登録特許第１０−０３７１５５８号
【発明の概要】
【発明が解決しようとする課題】
【００１５】
本発明は上述した従来の問題点を解決するために案出されたもので、本発明の目的はオリジナルコーヒーに対する密閉性を確保して、オリジナルコーヒーの味と香りを維持しながら、長期間保管できるとともに、使用の時には密閉手段を簡単に外して直ちにお湯のみを入れてオリジナルコーヒーを飲むことができて、使用が非常に簡単な使い捨てコーヒー豆抽出機を提供することにある。
【００１６】
また、本発明は上述した従来の問題点を解決するためのもので、本発明の目的は飲料カップに簡単且つ安定的に固定させることができるようにして、保管が容易で、使用が便利であるとともに、二つの使い捨てコーヒー豆抽出機を上下に嵌合可能に構成して複数を安定的に積層させることができる使い捨てコーヒー豆抽出機を提供することにある。
【課題を解決するための手段】
【００１７】
前記目的を果たすための本発明による使い捨てコーヒー豆抽出機は、カップのような飲料容器に結合され、一側に開口部が形成された支持板材と、前記支持板材で下向きに突出され、上端が開放され、下部にコーヒー粉末が収容されるコーヒー収容部が段差を有して形成され、前記コーヒー収容部の下端には濾過紙が付着された抽出口が形成される収容筒体と、前記コーヒー収容部の上端と前記抽出口の底面にそれぞれ付着されて、前記コーヒー収容部を密閉させ、それぞれ脱去用取っ手が形成される上部密閉カバー及び下部密閉カバーとを含むことを特徴とする。
【００１８】
ここで、前記上部密閉カバーの脱去用取っ手は前記支持板材の上側まで延長され、前記下部密閉カバーの脱去用取っ手は下部密閉カバーの両側面の中で前記開口部から遠い一側面に形成されて、前記開口部を通じて前記支持板材の上側まで延長されることができ、前記上部密閉カバーと下部密閉カバーのそれぞれの脱去用取っ手の端部が互いに付着されて一体化されることができる。
【００１９】
また、前記目的を果たすための本発明による使い捨てコーヒー豆抽出機は、上端が開放され、開放された上端で所定距離下向きされた位置には、コーヒー豆粉末が収容されるコーヒー収容部が段差を有して形成され、前記コーヒー収容部の下端には底面に複数の抽出口を有するコーヒー抽出部が段差を有して形成される容器本体と前記コーヒー抽出部の抽出口上面に固定される濾過紙と前記コーヒー収容部の上部突部に付着されて、前記コーヒー収容部の上部を密閉させ、一側に脱去用取っ手が延長形成された上部カバー及び前記濾過紙と所定間隔離間されるように前記コーヒー抽出部の上部突部に付着されて、前記コーヒー収容部の下部を密閉させ、一側に脱去用取っ手が延長して形成される下部カバーを含むことを特徴とする。
【００２０】
ここで、前記容器本体の上端外周面には下向きに折曲された形態を有するとともに、その内側面に係止突起が突出して形成されて、カップのような飲料容器の上端に弾性的に嵌められる弾性固定具がさらに形成されることができ、前記弾性固定具の一側には空気流通のための切開部が形成されることができ、前記容器本体にはその上端面に沿って所定の長さに上向き延長された容器延長部がさらに形成されることができる。
【００２１】
同時に、前記目的を達するための本発明による使い捨てコーヒー豆抽出機は、上部が開放され、下端部に濾過紙が付着されたコーヒー抽出部が形成された容器本体の内部にコーヒー豆粉末を収容して保管するように構成されて、お湯を投入することによって、飲料カップにコーヒーを抽出させ、前記容器本体にはその上端部の周縁で下向きに折曲されて容器本体の外周面との間に前記飲料カップの上端部が挿入されることができる挿入空間部を形成させるとともに、内側面には係止突起が突出して形成された挿入固定部が設けられることを特徴とする。
【００２２】
ここで、前記容器本体の上端部から上向きに所定の長さ延長され、上部が開放される容器延長部、及び前記容器本体の外周面に放射状に所定間隔突出して形成され、前記容器延長部の内周面に嵌められることができる複数の挿入突起をさらに含み、下側の使い捨てコーヒー豆抽出機の前記容器延長部の内周面に上側の使い捨てコーヒー豆抽出機の前記挿入突起が嵌められることによって、少なくとも二つ以上の使い捨てコーヒー豆抽出機が上下に積層して結合されることができる。
【００２３】
この時、前記挿入突起の下側面には傾斜面が形成され、前記容器延長部はその上側部分には湾曲部が形成されることができ、前記容器延長部は前記飲料カップの蓋に挿入されることができるように前記蓋の大きさに対応する直径を有することができる。また、前記容器延長部の内周面にはお湯の投入量を調節するための水指示線が表示されることができる。
【発明の効果】
【００２４】
本発明による使い捨てコーヒー豆抽出機によれば、オリジナルコーヒーの密閉性のために別途の包装紙にオリジナルコーヒーを包装するのではなく、オリジナルコーヒーが収容された収容筒体自体を密閉させる構造であるので、オリジナルコーヒーの味と香りを維持し、長期間保管できながらも、コーヒーの包装紙を剥がすという煩雑さがなく、特に、オリジナルコーヒーを飲用するためには、密閉のための上部カバー及び下部カバーをワンタッチに取り外すして、収容筒体にお湯のみを入れば済むので、過程が簡単で、且つその使用が非常に簡単で、オリジナルコーヒーの保管性と使用上の便利性両方とも確保することができるという效果を奏する。
【００２５】
また、本発明による使い捨てコーヒー豆抽出機によれば、飲料カップの上端に弾性的に嵌められる挿入固定部が容器本体に形成されるので、飲料カップに簡単に着脱されるとともに、安定的に固定されることができて、使用及び保管が非常に便利になり、複数を上下に安定的に積層させることができるので、全体体積を減少しながらも複数を容易に保管することができ、それによって複数の使い捨てコーヒー豆抽出機をセットして恋人用、家族用、団体用など多様に商品化して提供することができるという效果を奏する。
【００２６】
また、前述したように、具体的に明示した效果以外に本発明の特徴的な構成から容易に導出されて期待できる独特な效果も本発明の效果に含まれるべきである。
【図面の簡単な説明】
【００２７】
【図１】本発明の第１実施形態による使い捨てコーヒー豆抽出機の斜視図である。
【図２】図１の分解斜視図である。
【図３】図１の「Ａ−Ａ」線に沿う断面図である。
【図４】本発明の第１実施形態による支持板材と収容筒体の平面図である。
【図５】本発明の第１実施形態による使い捨てコーヒー豆抽出機の使用過程を示した例示断面図である。
【図６】本発明の第１実施形態による使い捨てコーヒー豆抽出機の使用過程を示した例示断面図である。
【図７】本発明の第１実施形態による使い捨てコーヒー豆抽出機の使用過程を示した例示断面図である。
【図８】本発明の第２実施形態による使い捨てコーヒー豆抽出機の斜視図である。
【図９】図８の分解斜視図である。
【図１０】図８の側断面図である。
【図１１】図８の平面図である。
【図１２】本発明の第２実施形態による使い捨てコーヒー豆抽出機の使用過程を示した例示断面図である。
【図１３】本発明の第２実施形態による使い捨てコーヒー豆抽出機の使用過程を示した例示断面図である。
【図１４】本発明の第２実施形態による使い捨てコーヒー豆抽出機の使用過程を示した例示断面図である。
【図１５】本発明の第３実施形態による使い捨てコーヒー豆抽出機の斜視図である。
【図１６】図１５の底面斜視図である。
【図１７】図１５の断面図である。
【図１８】本発明の第３実施形態による使い捨てコーヒー豆抽出機が二つ積層された状態を示す斜視図である。
【図１９】図１８の断面図である。
【図２０】本発明の第３実施形態による使い捨てコーヒー豆抽出機が飲料カップに固定された状態を示す斜視図である。
【図２１】図２０の断面図である。
【図２２】本発明の第３実施形態による使い捨てコーヒー豆抽出機を二つ積層させて保管することを示した断面図である。
【発明を実施するための形態】
【００２８】
以下で、添付図面を参照して本発明の好ましい実施形態による使い捨てコーヒー豆抽出機を詳細に説明する。本発明の実施形態を説明するにあたって、原則的に係わる公知の機能や公知の構成のように、当該技術分野における通常の技術者に自明な事項として、本発明の技術的特徴を不明確にする虞があると判断される場合にはその詳細な説明を省略する。
【００２９】
図１〜図７は本発明の第１実施形態による使い捨てコーヒー豆抽出機１００を説明するための図面で、図１は本発明の第１実施形態による使い捨てコーヒー豆抽出機１００の斜視図であり、図２は図１の分解斜視図であり、図３は図１の「Ａ−Ａ」線による断面図であり、図４は支持板材１１０と収容筒体１２０の平面図であり、図５〜図７は本発明の一実施形態による使い捨てコーヒー豆抽出機１００の使用状態を示す使用例示断面図である。
【００３０】
前記図１〜図７によれば、本発明の第１実施形態による使い捨てコーヒー豆抽出機１００は、支持板材１１０と、収容筒体１２０と、濾過紙１３０と、上部カバー１４０と、下部カバー１５０とからなる。
【００３１】
前記支持板材１１０はカップのような飲料容器４００に着脱される部分で、その形状に特に制限はないが、大部分の飲料容器４００が円形断面を有することから、前記支持板材１１０も円形板の形状を有することが好ましい。
【００３２】
前記支持板材１１０が飲料容器４００に結合される方式も特に制限はないが、図面に示すように、支持板材１１０を飲料容器４００の内部に強制的に嵌める方式で結合させることもでき、支持板材１１０の直径を飲料容器４００より大きくして、飲料容器４００の上端に載置させたり、飲料容器の内部に突部を形成させて、その突部に前記支持板材１１０を載置させる方式など多様な方式を採択することができる。
【００３３】
このような支持板材１１０の一側には所定の大きさに切開される開口部１１１が形成されることが好ましい。
【００３４】
前記開口部１１１は、前記支持板材１１０が飲料容器４００に結合された状態である時、本発明によるコーヒー豆抽出機１００を飲料容器４００から分離させなくても、下側にある後述する下部カバー１５０を支持板材１１０の上側で簡単に取り外せることができるようにする機能を有する。
【００３５】
このような開口部１１１は多様な形状に形成されることができるが、一例として前記図面に示すように、半円形状を有してもよい。
【００３６】
前記収容筒体１２０は前記支持板材１１０で下向きに突出されるように一体に形成され、中空体として内部には所定空間が設けられて、コーヒー豆粉末Ｃが収容される。
【００３７】
前記収容筒体１２０の上端は開放され、その下部には前記コーヒー豆粉末Ｃが収容されるコーヒー収容部１２１が形成される。ここで、前記コーヒー収容部１２１は、その上端に後述する上部カバー１４０を付着させることができる突部を有するように、段差を有して形成されることが好ましい。
【００３８】
前記コーヒー収容部１２１の下端にはコーヒー液が飲料容器４００に下向き抽出されることができるようにコーヒー抽出部１２２が形成される。
【００３９】
このような収容筒体１２０の形状は、図面に示すように、円形であってもよいが、制限はなく、四角形のような形状を有しても構わない。
【００４０】
前記コーヒー抽出部１２２の上面には水が透過することができる濾過紙１３０が付着される。
【００４１】
前記上部カバー１４０は前記コーヒー収容部１２１の段差された上端に付着され、前記下部カバー１５０は前記コーヒー抽出部１２２の底面に付着される。
【００４２】
前記上部カバー１４０と下部カバー１５０は空気を遮断することができる材質で形成され、前記のように、コーヒー収容部１２１の上端及び下端にそれぞれ付着されることによって、コーヒー収容部１２１を密閉された状態で維持させる。
【００４３】
このようにコーヒー収容部１２１が密閉されるので、その内部に収容されたコーヒー豆粉末Ｃは外部空気と遮断されて、前記上部カバー１４０及び下部カバー１５０を取り外す前までは長時間味と香りを維持することができる。
【００４４】
前記のように、コーヒー豆粉末Ｃを密閉して保管する上部カバー１４０及び下部カバー１５０には簡単に取り外すための脱去用取っ手１４１、１５１がそれぞれ形成されることが好ましい。
【００４５】
ここで、前記上部カバー１４０の脱去用取っ手１４１は前記支持板材１１０の上側まで延長されるように形成され、前記下部カバー１５０の脱去用取っ手１５１は下部カバー１５０の両側面の中で前記開口部１１１から遠い一側面に形成されて、前記開口部１１１を通じて前記支持板材１１０の上側まで延長されるように形成されることが好ましい。
【００４６】
これは本実施形態によるコーヒー豆抽出機１００を飲料容器４００から分離することが煩雑でなく、上部カバー１４０と下部カバー１５０を簡単に取り外すことができるようにするためのものである。
【００４７】
即ち、前記のように、下部カバー１５０の脱去用取っ手１５１が支持板材１１０の上方に延長されていると、その状態ですぐ脱去用取っ手１５１を上へ引くことによって、下部カバー１５０をコーヒー抽出部１２２から容易に取り外すことができる。
【００４８】
前記上部カバー１４０の脱去用取っ手１４１は上部カバー１４０の両側面の何れか一方に形成されても構わないが、開口部１１１に近い一側面に形成されることができ、上部カバー１４０及び下部カバー１５０に形成された各脱去用取っ手１４１、１５１は一度に引いて取り外すことができるように、その端部が互いに付着されて一体化されることが好ましい。
【００４９】
上述したような構成からなる本発明の第１実施形態による使い捨てコーヒー豆抽出機１００の使用方法は下記のように非常に簡単である。
【００５０】
即ち、図５に示すように、本実施形態による使い捨てコーヒー豆抽出機１００がカップのような飲料容器４００に結合された状態で、まず、図６に示すように、上部カバー１４０と下部カバー１５０の脱去用取っ手１４１、１５１を引いて、上部カバー１４０と下部カバー１５０をコーヒー収容部１２１から取り外す。
【００５１】
この時、上部カバー１４０と下部カバー１５０の脱去用取っ手１４１、１５１は互いに付着されて一体化されているため、一体化された端部を取って一回だけ引けばよい。
【００５２】
上部カバー１４０と下部カバー１５０を取り外した後には、図７に示すように、収容筒体１２０に用意したお湯を投入すれば良い。
【００５３】
前記のように、本発明の第１実施形態による使い捨てコーヒー豆抽出機１００は、カバー１４０、１５０の取り外しとお湯の投入が非常に簡単な過程で行われ、またカバー１４０、１５０を取り外す前まではコーヒー豆粉末Ｃを密閉状態で保管できることが分かり、従って、使い捨てカップのような飲料容器４００自体に結合された状態に製造されて飲料容器４００と一体に販売されたり、または使い捨てコーヒー豆抽出機１００自体のみで製造されて販売されることもできることが分かる。
【００５４】
図８〜図１４は本発明の第２実施形態による使い捨てコーヒー豆抽出機２００を説明するための図面で、図８は本発明の第２実施形態による使い捨てコーヒー豆抽出機２００の斜視図であり、図９は図８の分解斜視図であり、図１０は図８の側断面図であり、図１１は図８の平面図であり、図１２〜図１４は本発明の第２実施形態による使い捨てコーヒー豆抽出機２００の使用状態を示す使用例示断面図である。以下では、図８〜図１４を参照して本発明の第２実施形態について説明する。
【００５５】
前記図８〜図１４によれば、本発明の第２実施形態による使い捨てコーヒー豆抽出機２００は内部にコーヒー収容部２２０が段差を有して形成され、その下端にはコーヒー抽出部２３０が形成される容器本体２１０と、濾過紙２４０と、上部カバー２５０及び下部カバー２６０とが含まれる。
【００５６】
前記容器本体２１０は内部にコーヒー豆粉末Ｃを収容することができるように上部が開放されており、カップのような飲料容器４００に結合される。
【００５７】
前記容器本体２１０の上端外周面には、下向きに折曲された形態を有しながら、その内側面には係止突起２１２が突出して形成されて、カップのような飲料容器４００に円滑に嵌合されることができるようにする弾性固定具２１１が備えられることが好ましい。
【００５８】
また、前記容器本体２１０の前記弾性固定具２１１の外周面の一側には空気の流通のための切開部２１３が形成されることが好ましい。
【００５９】
また、前記容器本体２１０の上面には所定の長さに上向き延長された容器延長部２１４が弾性固定具２１１の上面に沿って環状に形成されることが好ましい。前記容器延長部２１４は容器本体２１０で上向きに延長されることによって、容器本体２１０の内部空間を拡張させ、それによってオリジナルコーヒーの抽出のために投入されるお湯をより多く収容することができるようにする機能をする。
【００６０】
このような容器延長部２１４の上端には必要によって容器蓋５００が弾性的に嵌め込まれることができる。前記容器蓋５００の周辺には前記容器本体２１０の弾性固定具２１１のような構造の蓋固定具５２０が形成されることができ、その上端にはストローを挿入することができるストロー孔５１０が形成されることができる。
【００６１】
前記コーヒー収容部２２０は、前記容器本体２１０の上端で所定長さ下向きされた位置に形成される上部突部２２１と前記コーヒー抽出部２３０の上部に形成される上部突部２３１との間に位置し、内部空間にコーヒー豆粉末Ｃを収容する。
【００６２】
前記コーヒー収容部２２０の内部は多様な形状を有することができるが、カップに装着される特性上、面積による損失のない円形に形成されることが好ましい。
【００６３】
前記コーヒー抽出部２３０は前記コーヒー収容部２２０の下端に位置し、前記上部突部２３１によって段差を有して形成され、その底面には複数の抽出口２３２が放射状のような所定の形態に形成されることが好ましい。
【００６４】
前記抽出口２３２の上面にはコーヒー豆粉末Ｃが流れ落ちないようにし、コーヒー液のみを通過させるように濾過紙２４０が固定され、前記濾過紙２４０は前記抽出口２３２の面積より大きく形成されることが好ましい。
【００６５】
前記上部カバー２５０及び前記下部カバー２６０はコーヒー収容部２２０を密閉させるためのもので、前記上部カバー２５０は前記コーヒー収容部２２０の上部突部２２１に付着され、前記下部カバー２６０は前記コーヒー抽出部２３０の上部突部２３１に付着されて、上下側で前記コーヒー収容部２２０に収容されたコーヒー豆粉末Ｃを外部の空気から完全に密封させる。このような上部カバー２５０及び下部カバー２６０は多様な材質で形成されることがき、アルミニウム薄板で製作されることができる。
【００６６】
ここで、前記下部カバー２６０は前記コーヒー抽出部２３０の上部突部２３１に付着され、コーヒー抽出部２３０の底面に固定された濾過紙２４０とは所定間隔離れた位置に付着される。このように上部突部２３１を形成させて下部カバー２６０と濾過紙２４０を離間させる理由は、下部カバー２６０が濾過紙２４０に密着された状態である場合には、下部カバー２６０を取り外す時、濾過紙２４０が損傷されたり、濾過紙２４０が剥がれる虞があるからである。
【００６７】
前記上部カバー２５０及び下部カバー２６０の一側には、それぞれコーヒーを飲む時、より容易に上部カバー２５０及び下部カバー２６０を取り外すことができるように、脱去用取っ手２５１、２６１がそれぞれ形成されることができ、前記脱去用取っ手２５１、２６１は飲用の時、使用上の便利性のために同じ方向に延長されるようにすることが好ましい。
【００６８】
上述したような構成からなる本発明の第２実施形態による使い捨てコーヒー豆抽出機２００の使用方法も下記のように非常に簡単である。
【００６９】
即ち、図１２に示すように、本実施形態による使い捨てコーヒー豆抽出機２００が弾性固定具２１１に嵌合されることによって、カップのような飲料容器４００に結合された状態で、前記容器延長部２１４に嵌められている容器蓋５００をまず分離させる。
【００７０】
図１３に示すように、上部カバー２５０と下部カバー２６０の脱去用取っ手２５１、２６１をそれぞれ引いて上部カバー２５０と下部カバー２６０をコーヒー収容部２２０から取り外す。この時、上部カバー２５０をまず取り外した後、順次に下部カバー２６０を取り外したり、または上部カバー２５０と下部カバー２６０の各脱去用取っ手２５１、２６１を一緒に取って同時に取り外すことも可能である。
【００７１】
また、上部カバー２５０と下部カバー２６０を取り外した後、図１４に示すように、容器本体２１０に用意したお湯を投入してコーヒー液を抽出すれば良い。
【００７２】
このようにコーヒー液の抽出が行われると、本実施形態による抽出機２００を飲料容器４００から分離させた後、必要によって容器蓋５００を飲料容器４００に嵌合した後、ストロー孔５１０にストローを挿入して、抽出されたコーヒー液を飲用すれば良い。
【００７３】
前記のように、本発明の第２実施形態による使い捨てコーヒー豆抽出機２００も割りと簡単な過程でコーヒー液の抽出を行うとともに、コーヒー豆粉末Ｃを密閉状態で保管することができ、従って、使い捨てカップのような飲料容器４００自体に結合された状態に製造されて、飲料容器４００と一体に販売されたり、使い捨てコーヒー豆抽出容器２００自体だけで製造されて販売されることもできることが分かる。
【００７４】
図１５〜図２２は本発明の第３実施形態による使い捨てコーヒー豆抽出機３００を説明するための図面で、図１５は本発明の第３実施形態による使い捨てコーヒー豆抽出機３００の斜視図であり、図１６は図１５の底面斜視図であり、図１７は断面図であり、図１８は使い捨て抽出機３００が二つ積層された状態を示す斜視図であり、図１９は図１８の断面図である。以下では、図１５〜図２２を参照して本発明の第３実施形態について詳しく説明する。
【００７５】
前記図１５〜図１９によれば、本発明の第３実施形態による使い捨てコーヒー豆抽出機３００は通常的な構成で、容器本体３１０を含む。
【００７６】
前記容器本体３１０は円筒状であり、その上部は開放され、下端にはコーヒー抽出部３１１が形成され、前記コーヒー抽出部３１１の上面には濾過紙３１２が付着固定される。また、前記容器本体３１０の内部にはコーヒー収容部３１３が設けられ、前記コーヒー収容部３１３にはコーヒー豆粉末Ｃが収容される。
【００７７】
また、前記コーヒー収容部３１３の上端には保存されるコーヒー豆粉末を密閉するためのカバー３１４が付着されている。このようなカバー３１４は容易に密閉するために前記コーヒー抽出部３１１の下端にも付着されることができる。
【００７８】
上述した構成の容器本体３１０の上端部には飲料容器４００を固定するために挿入固定部３２０が形成される。
【００７９】
前記挿入固定部３２０は前記容器本体３１０の上端部の周縁で下向きに折曲される形態に形成され、それによって、その内側面と前記容器本体３１０の外周面との間には飲料容器４００の上端部が挿入されることができる挿入空間部３２１が設けられる。
また、前記挿入固定部３２０の内側面には前記挿入空間部３２１に挿入された飲料容器の上端部が掛けられるように係止突起３２２が突出して形成される。
【００８０】
上述した構成からなり、前記容器本体３１０が飲料容器に固定される時、前記挿入空間部３２１に飲料容器の上端部が挿入されると、前記挿入固定部３２０は弾性的にやや広がりながら、前記係止突起３２２に飲料容器の上端部が係止されるようにして、容器本体３１０が飲料容器に安定的に固定されるように機能をする。
【００８１】
一方、前記容器本体３１０の上端部には容器延長部３３０が形成され、容器本体の外周面には複数の挿入突起３４０が突出して形成されることができる。
【００８２】
前記容器延長部３３０は、図１５〜図１９に示すように、前記容器本体３１０の上端部から上向きに所定長さ延長される円筒状であり、その上部は開放される。
【００８３】
このような容器延長部３３０は前記挿入突起３４０が内周面に嵌められる時、より堅固に弾性的に嵌められることができるように所定の高さで上端に行くほど中心方向に湾曲された形態を有する湾曲部３３１が形成されることができる。
【００８４】
前記複数の挿入突起３４０は前記容器本体３１０の外周面上に形成され、前記容器延長部３３０の内周面に嵌められることができるように、放射状に所定間隔を置いて突出して形成され、前記挿入突起３４０の下側面には前記容器延長部３３０が内周面に容易に嵌められることができるように傾斜面３４１が形成されることができる。
【００８５】
前記容器延長部３３０と挿入突起３４０の構成を通じて本発明による使い捨てコーヒー豆抽出機３００は二つが上下に積層して結合されることができる。
【００８６】
即ち、図１８及び図１９に示すように、下側に位置された使い捨てコーヒー豆抽出機３００ｂの前記容器延長部３３０の内周面に上側に位置された使い捨てコーヒー豆抽出機３００ａの前記複数の挿入突起３４０が弾性的に嵌められることによって、上下側に二つのコーヒー豆抽出機３００ａ、３００ｂが安定的に積層して結合される。
【００８７】
このようにして複数を隙間なく安定的に積層させることができれば、使い捨てコーヒー豆抽出機３００を多様な数に積層させて製品化することができる。即ち、恋人が一緒に楽しむことができるように、恋人用に二つをセット化したり、その外にも、家族用、団体用など多様な数を積層させてセット化して提供することが可能になる。
【００８８】
一方、前記容器延長部３３０は容器蓋５００に嵌められることができるように、前記容器蓋の大きさに対応する直径を有することができ、その内周面の所定高さには適切なお湯の投入量を指示する水指示線３３２が表示されることができる。
【００８９】
上述したような構成からなる本発明の第３実施形態による使い捨てコーヒー豆抽出機３００の使用及び保管について説明すれば以下の通りである。
【００９０】
図２０は本発明の第３実施形態による使い捨てコーヒー豆抽出機３００が飲料容器４００に固定された状態を示す斜視図であり、図２１は図２０の断面図である。
【００９１】
まず、図２０及び図２１に示すように、飲料容器４００の上端に挿入固定部３２０が嵌められた状態で、本発明の第３実施形態による使い捨てコーヒー豆抽出機３００が固定されるとともに、容器延長部３３０に飲料容器４００の容器蓋５００が嵌められた状態に保管され、従って、使い捨てコーヒー豆抽出機３００、飲料容器４００、容器蓋５００が相互離脱される虞なく安定的に保管されることができる。
【００９２】
このような状態で、コーヒーを飲用しようとする場合、まず、前記容器延長部３３０に嵌められている容器蓋５００を分離させた後、容器本体３１０の内部に付着されているカバー３１４を取り外し、お湯を投入すれば良い。
【００９３】
この時、お湯は容器延長部３３０の内周面に表示されている水指示線３３２の高さまで満たされるように投入することによって簡単に投入量を合わせることができる。
【００９４】
このようにお湯が投入されると、コーヒー液がコーヒー抽出部３１１を通じて抽出されて飲料容器４００に保存され、コーヒー液の抽出が完了されると、飲料容器４００の上端から挿入固定部３２０を離脱させて、使い捨てコーヒー豆抽出機３００を飲料容器４００で分離させる。
【００９５】
このように、使い捨てコーヒー豆抽出機３００を分離させた後には前記容器蓋５００を再び飲料容器４００の上端に嵌めた後、容器蓋５００のストロー孔５１０にストローを挿入して保存されたコーヒー液を飲用すれば良い。
【００９６】
一方、図２２は本発明の第３実施形態による使い捨てコーヒー豆抽出機３００を二つ積層させて保管することを示した図面であり、図示したように、上側の使い捨てコーヒー豆抽出機３００ａの挿入突起３４０が下側の使い捨てコーヒー豆抽出機３００ｂの容器延長部３３０の内周面に挿入されることによって、二つの使い捨てコーヒー豆抽出機３００ａ、３００ｂが隙間なく安定的に積層されて結合されている。
【００９７】
このように積層して保管される場合、下側の使い捨てコーヒー豆抽出機３００ｂの挿入固定部３２０が飲料容器４００の上端に嵌められ、上側の使い捨てコーヒー豆抽出機３００ａの容器延長部３３０に容器蓋５００が嵌められて、飲料容器４００も積層された使い捨てコーヒー豆抽出機３００の数に対応して二つが重なった状態に保管される。
【００９８】
このような保管状態でコーヒーを飲用する場合、重なった飲料容器４００と積層された使い捨てコーヒー豆抽出機３００ａ、３００ｂをそれぞれ分離させた後、前述した使用方法と同じくそれぞれお湯を投入させて、二人が同時にコーヒーを飲用することができる。
【００９９】
このように、複数を安定的に積層して保管することが容易であるので、上述したように、二つをセット化して、二人が一緒に飲用することができるように、恋人用、カップル用等に製品化することが可能になる。
【０１００】
また、使い捨てコーヒー豆抽出機を積層して保管する場合、内部空間を活用することができて、図２２に示すように、使い捨てコーヒー豆抽出機３００の内部に角砂糖Ｓなどのような付加物を保存することができて、空間活用性が向上することが分かる。
【０１０１】
上述したような本発明の好ましい実施形態による使い捨てコーヒー豆抽出機を説明するにおいて、収容されるものとしてコーヒーのみについて説明したが、コーヒーだけでなく緑茶、紅茶などのような多様な飲み物原料にも本発明が適用されることはもちろん、本発明の技術範囲は上述した実施形態及び図面に記載した内容に限定されるのではなく、当該技術分野において通常の知識を有する者によって修正または変更された等価の構成は本発明の技術的思想の範囲を逸脱しないものとすべきである。
【図１】
2012515043.tif 000003
【図２】
2012515043.tif 000004
【図３】
2012515043.tif 000005
【図４】
2012515043.tif 000006
【図５】
2012515043.tif 000007
【図６】
2012515043.tif 000008
【図７】
2012515043.tif 000009
【図８】
2012515043.tif 000010
【図９】
2012515043.tif 000011
【図１０】
2012515043.tif 000012
【図１１】
2012515043.tif 000013
【図１２】
2012515043.tif 000014
【図１３】
2012515043.tif 000015
【図１４】
2012515043.tif 000016
【図１５】
2012515043.tif 000017
【図１６】
2012515043.tif 000018
【図１７】
2012515043.tif 000019
【図１８】
2012515043.tif 000020
【図１９】
2012515043.tif 000021
【図２０】
2012515043.tif 000022
【図２１】
2012515043.tif 000023
【図２２】
2012515043.tif 000024
【国際調査報告】
2012515043.tif 000025
2012515043.tif 000026
2012515043.tif 000027
2012515043.tif 000028